(57)【要約】【課題】放送内容に関連するキーワードを自動的にユーザに提供し、ユーザがそのキーワードに関連する情報を容易に取得することを可能とする。【解決手段】放送情報に関連するキーワードをユーザ端末装置に提供するキーワード提供システムにおいて、所定のキーワード群を格納するキーワード格納手段と、放送内容に対応するキーワードを取得するキーワード取得手段と、前記キーワード格納手段に格納されたキーワード群から、前記キーワード取得手段により取得されたキーワードと一致するキーワードを抽出するキーワード抽出手段と、前記キーワード抽出手段により抽出されたキーワードを前記放送情報に関連するキーワードとして前記ユーザ端末装置に提供するキーワード提供手段とを備える。【選択図】  図１
2006319456.tif 000002
【特許請求の範囲】
【請求項１】
放送情報に関連するキーワードをユーザ端末装置に提供するキーワード提供システムであって、
所定のキーワード群を格納するキーワード格納手段と、
放送内容に対応するキーワードを取得するキーワード取得手段と、
前記キーワード格納手段に格納されたキーワード群から、前記キーワード取得手段により取得されたキーワードと一致するキーワードを抽出するキーワード抽出手段と、
前記キーワード抽出手段により抽出されたキーワードを前記放送情報に関連するキーワードとして前記ユーザ端末装置に提供するキーワード提供手段と
を有することを特徴とするキーワード提供システム。
【請求項２】
前記キーワード取得手段は、放送中の音声に対して音声認識を行うことにより、音声からキーワードを取得する請求項１に記載のキーワード提供システム。
【請求項３】
前記キーワード取得手段は、放送内容に対応するキーワードとして事前に収集されたキーワードを取得する請求項１に記載のキーワード提供システム。
【請求項４】
前記キーワード格納手段は、ネットワーク上の検索エンジンにおいて検索に用いられたキーワードの中で検索頻度順位が予め定めた順位より高いキーワードを格納する請求項１に記載のキーワード提供システム。
【請求項５】
前記キーワード提供システムは、放送された情報からＣＭ名と楽曲名をリアルタイムに取得する手段を有し、前記キーワード提供手段は、放送された情報に対応するＣＭ名と楽曲名とを前記キーワードに加えて前記ユーザ端末装置に提供する請求項１に記載のキーワード提供システム。
【請求項６】
前記キーワード提供手段は、前記キーワード抽出手段により抽出されたキーワードと、当該キーワードに関連するネットワーク上のサイト情報とを対応付けて前記ユーザ端末装置に送信する請求項１に記載のキーワード提供システム。
【請求項７】
前記キーワード提供手段は、前記ユーザ端末装置から当該ユーザ端末装置が受信中の放送のチャンネル情報を受信し、そのチャンネルに対応するキーワードを当該ユーザ端末装置に送信する請求項１に記載のキーワード提供システム。
【請求項８】
放送情報に関連するキーワードをユーザ端末装置に提供する機能をコンピュータに実現させるためのプログラムであって、コンピュータを、
放送内容に対応するキーワードを取得するキーワード取得手段、
所定のキーワード群を格納するキーワード格納手段に格納されたキーワード群から、前記キーワード取得手段により取得されたキーワードと一致するキーワードを抽出するキーワード抽出手段、
前記キーワード抽出手段により抽出されたキーワードを前記放送情報に関連するキーワードとして前記ユーザ端末装置に提供するキーワード提供手段、
として機能させるためのプログラム。
【発明の詳細な説明】
【技術分野】
【０００１】
本発明は、放送に関連する情報を放送視聴者が取得する技術に関するものである。
【背景技術】
【０００２】
近年、インターネット閲覧機能を持ったテレビ受像機が登場している。このようなテレビ受像機では、画面に放送番組とインターネット画面の両方を同時に表示することが可能である。また、テレビ受信機能を有するＰＣ（パーソナルコンピュータ）も普及してきている。
【０００３】
上記の機器を用いることにより、視聴者はテレビを見ながら放送されている番組に関連する情報をインターネットの検索画面を用いて検索したり、番組で紹介された商品をインターネットの商品購入サイトから購入したりすることが可能である。
【０００４】
なお、放送に関連する情報を取得する従来技術として、例えば特許文献１、２に開示された技術がある。
【特許文献１】ＷＯ０２／３５５１６号国際公開公報
【特許文献２】ＷＯ０１／８０５５３号国際公開公報
【発明の開示】
【発明が解決しようとする課題】
【０００５】
しかし、上記従来技術において、視聴者が放送に関連する情報を取得しようとする場合、視聴者は放送内容からキーワードを自分で決定し、そのキーワードをインターネット画面に入力しなければならなかった。特に、テレビ用のリモコンを操作してキーワードを入力するには手間がかかり、視聴者の利便性が十分ではなかった。
【０００６】
本発明は上記の点に鑑みてなされたものであり、放送内容に関連するキーワードを自動的にユーザに提供し、ユーザがそのキーワードに関連する情報を容易に取得することを可能とした技術を提供することを目的とする。
【課題を解決するための手段】
【０００７】
上記の課題は、放送情報に関連するキーワードをユーザ端末装置に提供するキーワード提供システムであって、所定のキーワード群を格納するキーワード格納手段と、放送内容に対応するキーワードを取得するキーワード取得手段と、前記キーワード格納手段に格納されたキーワード群から、前記キーワード取得手段により取得されたキーワードと一致するキーワードを抽出するキーワード抽出手段と、前記キーワード抽出手段により抽出されたキーワードを前記放送情報に関連するキーワードとして前記ユーザ端末装置に提供するキーワード提供手段とを有することを特徴とするキーワード提供システムにより解決できる。
【０００８】
前記キーワード取得手段は、放送中の音声に対して音声認識を行うことにより、音声からキーワードを取得するように構成できる。また、前記キーワード取得手段は、放送内容に対応するキーワードとして事前に収集されたキーワードを取得することとしてもよい。
【０００９】
前記キーワード格納手段は、ネットワーク上の検索エンジンにおいて検索に用いられたキーワードの中で検索頻度順位が予め定めた順位より高いキーワードを格納する。
【００１０】
また、前記キーワード提供システムは、放送された情報からＣＭ名と楽曲名をリアルタイムに取得する手段を有し、前記キーワード提供手段は、放送された情報に対応するＣＭ名と楽曲名とを前記キーワードに加えて前記ユーザ端末装置に提供することとしてもよい。
【００１１】
また、前記キーワード提供手段は、前記キーワード抽出手段により抽出されたキーワードと、当該キーワードに関連するネットワーク上のサイト情報とを対応付けて前記ユーザ端末装置に送信することとしてもよい。
【００１２】
また、前記キーワード提供手段は、前記ユーザ端末装置から当該ユーザ端末装置が受信中の放送のチャンネル情報を受信し、そのチャンネルに対応するキーワードを当該ユーザ端末装置に送信することもできる。
【００１３】
また、本発明は、放送情報に関連するキーワードをユーザ端末装置に提供する機能をコンピュータに実現させるためのプログラムであって、コンピュータを、放送内容に対応するキーワードを取得するキーワード取得手段、所定のキーワード群を格納するキーワード格納手段に格納されたキーワード群から、前記キーワード取得手段により取得されたキーワードと一致するキーワードを抽出するキーワード抽出手段、前記キーワード抽出手段により抽出されたキーワードを前記放送情報に関連するキーワードとして前記ユーザ端末装置に提供するキーワード提供手段、として機能させるためのプログラムとして構成することもできる。
【発明の効果】
【００１４】
本発明によれば、放送内容から抽出したキーワードのうち、検索エンジンにおける検索頻度順位が高いキーワード等の所定のキーワードと一致するキーワードをユーザ端末装置に提供することとしたので、放送内容に関連するキーワードであってユーザが興味を持つ可能性が高いキーワードを自動的にユーザに提供することが可能となる。また、キーワードを、当該キーワードに関連するネットワーク上のサイト情報とともにユーザ端末装置に提供することにより、ユーザはそのキーワードに関連する情報を容易に取得することが可能となる。
【００１５】
また、所定のキーワード群としてユーザに興味を持って欲しい商品名等を用い、それに対応するサイト情報として商品購入サイト情報を用いることにより、商品販売者が売りたいと考える商品の購入ページにユーザを誘導できるという効果もある。
【発明を実施するための最良の形態】
【００１６】
以下、図面を参照して本発明の実施の形態について説明する。
【００１７】
（システム全体構成）
図１に、本実施の形態のシステムの全体構成を示す。図１に示すように本システムは、音声認識システム１、番組キーワード抽出システム２、ＣＭ／楽曲データ検出システム３、表示データ作成システム４、情報検索システム５、及び番組キーワード収集システム６がインターネット等の通信ネットワーク７を介して接続された構成を有している。また、ユーザが放送番組を視聴し、放送に関連した情報を取得するためのユーザ端末装置８が通信ネットワーク７に接続されている。各システムの機能概要を次に説明する。
【００１８】
音声認識システム１は、放送を受信し、放送内の音声からキーワードを音声認識により取得し、取得したキーワードからユーザ端末装置８に提供すべきキーワードを抽出する機能を有している。番組キーワード抽出システム２は、番組キーワード収集システム６により収集された番組キーワードデータからユーザ端末装置８に提供すべきキーワードを抽出する機能を有している。ＣＭ／楽曲データ検出システム３は、放送を受信し、放送の中のＣＭ名及び楽曲名を検出する機能を有している。表示データ作成システム４は、音声認識システム１、番組キーワード抽出システム２、ＣＭ／楽曲データ検出システム３からキーワードデータを受信し、受信したキーワードデータに基づきユーザ端末装置８に表示するデータを作成し、ユーザ端末装置８に提供する機能を有している。
【００１９】
また、情報検索システム５は、検索エンジンを有し、入力されたキーワードに関連する情報をネットワーク上で検索する機能、及び検索に用いられたキーワードを検索頻度の高い順に記録する機能を有している。番組キーワード収集システム６は、番組情報等から収集したキーワードを記録する機能を有している。情報検索システム５において取得されたキーワードが音声認識システム１と番組キーワード抽出システム２に送られ、ユーザ端末装置８に提供すべきキーワードを抽出する際に用いられる。
【００２０】
（各システムの機能詳細）
次に、図１に示す各システムの機能を詳細に説明する。
【００２１】
［情報検索システム５］
情報検索システム５は、例えば検索されたキーワードの検索頻度トップ１００００を日毎に記録する。また、検索頻度の高いショッピングに関連するキーワード（例えばトップ５００００）を記録し、地名や旅館名等の旅行に関連する検索頻度の高いキーワード（例えばトップ１５０００）を記録する。このような記録処理により、情報検索システム５には図２に示すように、検索キーワードＤＢ、ショッピングキーワードＤＢ、旅行キーワードＤＢが作成される。
【００２２】
検索頻度の高いキーワードを記録する際には、手動もしくは自動で一般キーワードやダーティワードを削除する。また、ショッピング、旅行のキーワードに関しては、検索頻度の高いキーワードを記録することの他、ユーザに買って欲しい商品や参加して欲しいツアーに関連するキーワードを手動で登録することとしてもよい。また、検索頻度の高いキーワードから、ユーザに買って欲しい商品や参加して欲しいツアーに関連するキーワードを選択して記録することとしてもよい。更に、キーワードに関連するＵＲＬを当該キーワードと対応付けてＤＢに記録することとしてもよい。
【００２３】
なお、情報検索システム５は１つのコンピュータを用いて実現してもよいし、例えば、ショッピング、旅行等のカテゴリー毎にコンピュータを分けて構成してもよい。
【００２４】
［番組キーワード収集システム６］
番組キーワード収集システム６は、番組情報、テレビ局取材、インターネットサイト、テレビ放送等に基づき手動で取得された番組に関連する番組キーワードデータを記録する。図３に、番組キーワードデータの構造の一例を示す。図３に示すように、放送局（チャンネル）毎、日時毎にキーワードが記録される。また、手動でキーワードを入力することに代えて、電子テレビ番組表等から、自動的に番組キーワードを取得することも可能である。この場合、例えばドラマであれば出演者名を抽出し、旅行番組であれば地名を抽出する等の基準を設けて、番組内容との関連が高いキーワードを電子テレビ番組表等から抽出する。
【００２５】
［音声認識システム１］
次に、音声認識システム１の機能について図４の機能ブロック図を参照して説明する。図４に示すように、音声認識システム１は、チャンネル毎に放送を受信する放送受信部１１、受信した放送の音声から単語を抽出する音声認識部１２、ネットワークを介してデータを送受信するためのネットワーク通信部１３、情報検索システム５における各ＤＢのキーワードデータを取得するデータ取得部１４、データ取得部１４により取得したデータ等を蓄積するためのデータ蓄積部１５、データ蓄積部１５に蓄積されたキーワード群と音声認識部１２により認識された単語とのマッチングを行い、マッチしたキーワードをデータ蓄積部１５に出力するマッチング部１６とを有している。
【００２６】
データ取得部１４は、情報検索システム５における各ＤＢから定期的にキーワードデータを取得し、図４に示すように各ＤＢに対応するキーワード群として蓄積する。音声認識部１２は放送音声からリアルタイムに音声認識を行うが、全ての音声をテキストデータとしてしまうとキーワードが非常に長文となり、かつキーワードの数が非常に多くなってしまうため、所定の単語辞書を用いることにより単語を抽出する。所定の単語辞書としてデータ取得部１４に蓄積されたキーワード群を用いることもできる。また、音声認識信頼度を用いて認識精度の高い単語のみを抽出する。音声認識信頼度を適宜設定することにより、抽出されるキーワード数を調整することができる。
【００２７】
マッチング部１６は、音声認識部１２により単語が抽出されるたびに各キーワード群とマッチング処理を行い、図５に示す形式でデータ蓄積部１５にマッチしたキーワードデータを記録する。
【００２８】
図５に示すデータ形式は、マッチしたキーワードとマッチしたキーワード群の種別とを含むものである。例えば、キーワード１は、検索キーワード群のキーワードと旅行キーワード群のキーワードの両方とマッチしたことを示している。また、図５に示すデータは、放送が行われた時間情報とチャンネル情報とに対応付けて記録される。なお、マッチング処理毎のマッチするキーワード数に上限を設け、マッチしたキーワード数が上限を超えた場合には、各キーワード群の検索頻度順位の高いものから上限数までのキーワードを選択するようにしてもよい。
【００２９】
マッチング部１６は、データ蓄積部１５に記録されたマッチキーワードをチャンネル情報及び時間情報とともに表示データ作成システム４に一定時間毎（例えば３０秒毎）に送信する。一定時間毎に送信することに替えて、新たにマッチキーワードが追加される都度、そのキーワードデータを表示データ作成システム４に送信することとしてもよい。このような処理を行うことにより、放送とほぼ同期したキーワードデータを表示データ作成システム４に送信することができる。
【００３０】
［番組キーワード抽出システム２］
次に、番組キーワード抽出システム２の機能を図６の機能ブロック図を参照して説明する。図６に示すように、番組キーワード抽出システム２は、ネットワークを介してデータを送受信するためのネットワーク通信部２１、情報検索システム５及び番組キーワード収集システム６からキーワード群を取得するデータ取得部２２、情報検索システム５から取得したキーワード群と番組キーワード収集システム６から取得したキーワードとのマッチングを行うマッチング部２３と、各データを蓄積するデータ蓄積部２４を有している。
【００３１】
データ取得部２２は、定期的（例えば日毎）に情報検索システム５及び番組キーワード収集システム６からキーワード群を取得する。そして、マッチング部２３は、番組キーワード群のキーワードのうち、検索キーワード群、ショッピングキーワード群、旅行キーワード群のいずれかに含まれるキーワードを出力し、図５と同様の形式で、時間情報及びチャンネル情報と対応付けてデータ蓄積部２４に蓄積する。番組キーワード抽出システム２は、例えばマッチキーワードデータが更新されるたびに、マッチキーワードデータを表示データ作成システム４に送信する。マッチキーワードデータが更新されるたびに送信する替わりに、現在時刻に対応した所定の時間枠のマッチキーワードデータを表示データ作成システム４に送信することとしてもよい。
【００３２】
［ＣＭ／楽曲データ検出システム３］
次に、ＣＭ／楽曲データ検出システム３について説明する。ＣＭ／楽曲データ検出システム３は特許文献１に開示された技術を用いている。すなわち、放送されている音声を特徴化データに変換し、その特徴化データと、予めＣＭ名／楽曲名とそれに対応する特徴化データが格納されたデータベース等とのマッチングを行うことによりリアルタイムにＣＭ名、楽曲名、更にはこれらに関連する情報（ＵＲＬ等）を検出する。そして、検出したＣＭ名、楽曲名等を、それに対応するＵＲＬ等とともにリアルタイムに表示データ作成システム４に送信する。なお、ＣＭ／楽曲データ検出システム３からはＣＭ名、楽曲名のみを表示データ作成システム４に送信し、関連するＵＲＬを表示データ作成システム４が付加することとしてもよい。
【００３３】
［表示データ作成システム４］
次に、表示データ作成システム４の機能を図７の機能ブロック図を参照して説明する。図７に示すように、表示データ作成システム４は、ネットワークを介してデータを送受信するためのネットワーク通信部４１、音声認識システム１と番組キーワード抽出システム２とＣＭ／楽曲データ検出システム３からデータを取得するデータ取得部４２、各データを蓄積するデータ蓄積部４３、データ取得部４２により取得したキーワードデータからユーザ端末装置８に表示するための表示データを作成する表示データ作成部４４を有する。
【００３４】
表示データ作成部４４は、図５に示したデータ形式に基づき、検索キーワード群に基づくキーワードであれば、ネットワーク上の所定の検索サイトの情報（ＵＲＬ）と組み合わせ、当該検索サイトにアクセスして当該キーワードを用いた検索を可能とするデータを作成する。また、旅行キーワード群に基づくキーワードであれば、旅行関連サイトで当該キーワードを用いた検索を行うことを可能とするデータを作成する。ショッピングキーワード群に基づくキーワードであれば、ショッピングサイトで当該キーワードを用いた検索を行うことを可能とするデータを作成する。なお、各サイトのＵＲＬ等の表示データ作成のために必要となるデータはデータ蓄積部４３に格納されているものとする。また、ＣＭ名、楽曲名であれば、これらに関連するサイトにアクセスして、関連情報を取得することを可能とするデータを作成する。表示データ作成部４４は、表示データの作成を、例えば新たなキーワードデータを受信するたびに行う。これにより最も現在時刻に近い放送内容に適合した表示データを作成することができる。なお、番組キーワード群に基づくキーワードに関しては、例えば、現在時刻を含む所定の時間枠のキーワードデータを用いて表示データを作成する。また、表示データはチャンネル毎に作成される。
【００３５】
そして、これらのデータをユーザ端末装置８で表示可能なＨＴＭＬデータとして作成し、ユーザ端末装置８からの要求に基づきユーザ端末装置８に提供する。
【００３６】
上記の各システムはＣＰＵ、記憶装置等を有するコンピュータを用いて実現可能である。各システムは１つのコンピュータを用いて構成してもよいし、機能別に複数のコンピュータを用いて構成することもできる。また、複数システム（例えば、音声認識システム１、番組キーワード抽出システム２、及び表示データ作成システム４）を１つのコンピュータとして構成してもよい。また、各システムの機能は上記コンピュータに搭載されたプログラムを実行することにより実現されるものである。
【００３７】
［ユーザ端末装置８］
次に、ユーザ端末装置８の機能構成を図８の機能ブロック図を参照して説明する。図８に示すように、ユーザ端末装置８は、放送受信部８１、ネットワーク通信部８２、放送受信部８１及びネットワーク通信部８２の制御等を行う制御部８３、テレビ画面及びインターネット画面等をディスプレイに表示するための出力部８４、操作内容を入力するための入力部８５を有している。制御部８３は、放送受信部８１が受信中の放送チャンネル情報を取得し、ネットワーク通信部８２に渡すことが可能である。また、制御部８３は、ネットワーク通信部８２に与えられたチャンネル情報を放送受信部８１に通知し、放送受信部８１は通知されたチャンネルの放送を受信することが可能である。なお、ユーザ端末装置８において放送受信部８１を備えない構成としてもよい。この場合、ブラウザを搭載した通常のＰＣをユーザ端末装置８として使用することができる。またこの場合、テレビ画面は通常のテレビ受像機を用いて視聴すればよい。
【００３８】
（処理の流れ）
［システム側］
次に、図９のフローチャートを参照して、ユーザ端末装置８にキーワードデータを提供するためのシステム側の処理の流れの例を説明する。
【００３９】
音声認識システム１は、予め検索キーワード群、ショップキーワード群、旅行キーワード群を情報検索システム５から取得する（ステップ１）。そして、各チャンネルの放送を受信し（ステップ２）、チャンネル毎に音声認識処理を行って単語を抽出する（ステップ３）。そして、抽出された単語に基づき、検索キーワード群、ショップキーワード群、旅行キーワード群のそれぞれを検索し、音声認識で抽出された単語にマッチするキーワードを抽出し、図５に示したデータを作成し（ステップ４）、作成したデータを表示データ作成システム４に送信する（ステップ５）。
【００４０】
番組キーワード抽出システム２は、予め検索キーワード群、ショップキーワード群、旅行キーワード群を情報検索システム５から取得し、また、番組キーワード収集システム６から番組のキーワード群を取得する（ステップ２１）。番組キーワード収集システム６から取得したキーワード群内のキーワードと、検索キーワード群、ショップキーワード群、旅行キーワード群のそれぞれとのマッチング処理を行う（ステップ２２）。そして、マッチしたキーワードデータを表示データ作成システム４に送信する（ステップ２３）。
【００４１】
また、ＣＭ／楽曲データ検出システム３は、放送を受信し（ステップ３１）、リアルタイムにチャンネル毎にＣＭ名、楽曲名の検出を行い（ステップ３２）、検出したＣＭ名、楽曲名をそれらに関連すＵＲＬ等と共に表示データ作成システム４に送信する（ステップ３３）。
【００４２】
表示データ作成システム４では、チャンネル毎にキーワードデータを受信し（ステップ４１）、受信したキーワードデータを用いてチャンネル毎に表示データを作成し（ステップ４２）、チャンネル情報を含むユーザ端末装置８からの要求を受信すると（ステップ４３）、当該チャンネルに対応した表示データをユーザ端末装置８に送信する（ステップ４４）。
【００４３】
［ユーザ端末装置側］
次に、ユーザ端末装置８側の動作について説明する。
【００４４】
ユーザ端末装置８にはまず、受信中のチャンネルのテレビ画面とともにキーワードを要求するための画面が表示される。図１０に画面の一例を示す。
【００４５】
キーワード要求画面においてユーザがリモコン等を用いて所望のチャンネルを選択すると、そのチャンネル情報が表示データ作成システム４に通知され、表示データ作成システム４は、当該チャンネルに対応した最新の表示データをユーザ端末装置８に送信し、ユーザ端末装置８には図１１に示した画面が表示される。
【００４６】
図１１のＡに示す欄には、番組キーワード抽出システム２により取得されたキーワードのうち指定されたチャンネルの現在時刻に対応するキーワードが表示される。また、キーワードに対応する種別（検索、旅行、ショッピングのうちのいずれか）が強調されて表示される（図１１では斜線で示している）。ここで、例えばキーワード１について“検索”をクリックすれば、所定の検索サイトにおいてキーワード１による検索がなされ、検索結果が画面に表示される。また、“ショッピング”をクリックすれば、キーワード１に関連した商品を購入できる画面が表示される。
【００４７】
図１１のＢに示す欄にはＣＭ名が表示され、“サイト”ボタンをクリックすると当該ＣＭに関連した所定のサイトの画面が表示される。また、同様に、図１１のＣに示す欄には楽曲名が表示され、“サイト”ボタンをクリックすることにより当該楽曲に関連した所定のサイトの画面が表示される。また、“ショッピング”ボタンを押すことにより、当該楽曲のＣＤ等を購入するためのサイトに移行できる。
【００４８】
図１１のＤに示す欄には音声認識システム１により取得された最新のキーワードが表示される。Ａの欄と同様に、キーワードに対応する種別（検索、旅行、ショッピングのうちのいずれか）が強調されて表示される。
【００４９】
“更新”ボタンを押すことにより、キーワード情報要求とチャンネル情報が表示データ作成システム４に送信され、表示データ作成システム４で作成されている最新の表示データがユーザ端末装置８に送信され、表示される。
【００５０】
また、Ａ〜Ｄの各欄において“一覧”をクリックすると、所定時間前からのキーワードの履歴が表示される。この履歴は、ユーザ端末装置８側で表示キーワードを蓄積することにより表示してもよいし、表示データ作成システム４が履歴を含む表示データを作成し、それをユーザ端末装置８に送信することとしてもよい。ある番組の終了間際に表示されるキーワードは、その番組が終了することによりすぐに次の番組のものと入れ替わってしまうため、番組の終了間際に表示されるキーワードに関連する情報を取得することは困難であるが、一覧ボタンを用いることにより前の番組の終了間際に表示されたキーワードの情報を容易に取得することが可能となる。
【００５１】
なお、上記の例では“更新”ボタンを押すことにより表示されるキーワードデータを更新しているが、ユーザ端末装置８が一定時間毎に自動的にキーワードデータ要求を表示データ作成システム４に送信することとしてもよい。
【００５２】
また、ユーザ端末装置８において視聴中の放送のチャンネルを変えたときに、変更後のチャンネル情報を表示データ作成システム４に送信し、表示データ作成システム４が変更後のチャンネルに対応した表示データをユーザ端末装置８に送信することとしてもよい。また、このようにチャンネル情報を表示データ作成システム４に通知することとした場合、ユーザ端末装置８からの要求によらずに、表示データ作成システム４が自動的に一定時間毎に当該チャンネルに対応する最新表示データをユーザ端末装置８に送信することとしてもよい。また、キーワード要求のためのチャンネルをユーザ端末装置８側で変更したときに、ユーザ端末装置８における放送受信チャンネルを当該変更後のチャンネルに変更するようにしてもよい。
【００５３】
なお、Ａ〜Ｄ欄の中にユーザが欲しいキーワードが存在しない場合には、従来の検索の場合と同様にユーザが決定したキーワードを用いて検索を行う。その場合、ユーザ端末装置８は、所定の検索サイトにキーワードを送信するとともに、表示データ作成システム４に対して当該キーワードと受信中のチャンネル情報を送信し、表示データ作成システム４が当該キーワードを当該チャンネルに対応する表示データに含めてもよい。この方法によれば、音声認識システム１や番組キーワード抽出システム２において抽出されなかったキーワードであっても、ユーザが興味を持ち得るキーワードを各ユーザ端末装置に表示することができる。また、このように新たに検索されたキーワードを、音声認識システム１における各キーワード群、番組キーワード抽出システム２における各キーワード群に追加することとしてもよい。
【００５４】
本発明は、上記の実施例に限定されることなく、特許請求の範囲内で種々変更・応用が可能である。
【図面の簡単な説明】
【００５５】
【図１】本発明の実施の形態におけるシステム全体構成図である。
【図２】情報検索システム５が保持するデータベースを示す図である。
【図３】番組キーワード収集システム６において収集される番組キーワードデータの例である。
【図４】音声認識システム１の機能ブロック図である。
【図５】マッチしたキーワードデータのデータ形式の例を示す図である。
【図６】番組キーワード抽出システム２の機能ブロック図である。
【図７】表示データ作成システム４の機能ブロック図である。
【図８】ユーザ端末装置８の機能ブロック図である。
【図９】システム側の処理の流れを示すフローチャートである。
【図１０】ユーザ端末装置８に表示される画面の一例である。
【図１１】ユーザ端末装置８に表示される画面の一例である。
【符号の説明】
【００５６】
１  音声認識システム
２  番組キーワード抽出システム
３  ＣＭ／楽曲データ検出システム
４  表示データ作成システム
５  情報検索システム
６  番組キーワード収集システム
７  通信ネットワーク
８  ユーザ端末装置
１２  音声認識部
１３、２１、４１、８２  ネットワーク通信部
１４、２２、４２  データ取得部
１５、２４、４３  データ蓄積部
１６、２３  
４４  表示データ作成部
８１  放送受信部
８３  制御部
８４  出力部
８５  入力部
【図１】
2006319456.tif 000003
【図２】
2006319456.tif 000004
【図３】
2006319456.tif 000005
【図４】
2006319456.tif 000006
【図５】
2006319456.tif 000007
【図６】
2006319456.tif 000008
【図７】
2006319456.tif 000009
【図８】
2006319456.tif 000010
【図９】
2006319456.tif 000011
【図１０】
2006319456.tif 000012
【図１１】
2006319456.tif 000013